(57)【要約】【課題】鉢部を容易に認識することができるロータンク設備を提供する。【解決手段】手洗鉢５は裏側からの光を拡散させながら透過させるように半透明の合成樹脂にて構成されている。側周部の内面には、アルミ箔などよりなる反射材１２が設けられている。インナータンク８の蓋９が反射板の機能を有したものとなっている。蓋９と鉢部５ａとの間に光を投射するように光源１３が設けられている。トイレルーム内に入室するか、又は便器洗浄用フラッシュ操作を行うと、光源１３が点灯し、光源１３からの光が鉢部５ａを拡散しながら透過する。【選択図】図２
2010133168.tif 000002
【特許請求の範囲】
【請求項１】
ロータンクカバーの上面部に手洗用の鉢部が設けられているロータンク設備において、
該鉢部の少なくとも一部を鉢部裏側からの光を拡散させて透過させる半透明部とし、該半透明部の裏側に光源又は光源からの光を反射する反射板を配置したことを特徴とするロータンク設備。
【請求項２】
請求項１において、該鉢部の全体が半透明部となっていることを特徴とするロータンク設備。
【請求項３】
請求項２において、さらに鉢部の周囲部も半透明部となっていることを特徴とするロータンク設備。
【請求項４】
請求項１において、鉢部の一部のみが半透明部となっており、半透明部以外は不透明となっているか又は遮光材で覆われていることを特徴とするロータンク設備。
【請求項５】
請求項４において、鉢部の底部付近のみが半透明部となっていることを特徴とするロータンク設備。
【請求項６】
請求項１ないし５のいずれか１項において、前記半透明部の裏側に配置された反射板がロータンクカバー内の貯水用インナータンクの蓋を兼用していることを特徴とするロータンク設備。
【請求項７】
請求項１ないし５のいずれか１項において、前記半透明部の裏側に配置された反射板が半透明部の裏面に沿って湾曲しており、半透明部と反射板との間に光を投射するように光源が配置されていることを特徴とするロータンク設備。
【発明の詳細な説明】
【技術分野】
【０００１】
本発明は、トイレの洋風便器の後部上面に設置されるロータンク設備に係り、特に鉢部を照明する機能を備えたロータンク設備に関する。
【背景技術】
【０００２】
夜間などに用便のためにトイレルームに入室したときにトイレルーム内の照明が明るすぎると神経が刺激され眠気が乏しくなることがある。トイレルーム内の照度を低くしてもロータンク手洗鉢の使用を支障なく行うことができるようにするために、特開２００１−２９５３４４には、ロータンクカバーの上面部に設けられる手洗鉢に光ファイバーよりなる発光部を設けることが記載されている。
【０００３】
また、特開２００３−１５５７６７の００２２〜００２５段落には、鉢部の裏側に配置したＬＥＤからの光を、鉢部を透過させて吐水口に当てることが記載されている。
【０００４】
特開２００７−３２０７１には、手洗鉢の最深部の排水口を通して光を吐水流に当てることが記載されている。
【特許文献１】特開２００１−２９５３４４
【特許文献２】特開２００３−１５５７６７
【特許文献３】特開２００７−３２０７１
【発明の開示】
【発明が解決しようとする課題】
【０００５】
上記従来のロータンク設備では、いずれも照明がスポットライト調になり、鉢部を認識しにくい。
【０００６】
本発明は、鉢部を容易に認識することができるロータンク設備を提供することを目的とする。
【０００７】
また、本発明は、その一態様において、ロータンク上部をトイレルームの間接照明設備として機能させることができるロータンク設備を提供することを目的とする。
【課題を解決するための手段】
【０００８】
請求項１のロータンク設備は、ロータンクカバーの上面部に手洗用の鉢部が設けられているロータンク設備において、該鉢部の少なくとも一部を鉢部裏側からの光を拡散させて透過させる半透明部とし、該半透明部の裏側に光源又は光源からの光を反射する反射板を配置したことを特徴とするものである。
【０００９】
請求項２のロータンク設備は、請求項１において、該鉢部の全体が半透明部となっていることを特徴とするものである。
【００１０】
請求項３のロータンク設備は、請求項２において、さらに鉢部の周囲部も半透明部となっていることを特徴とするものである。
【００１１】
請求項４のロータンク設備は、請求項１において、鉢部の一部のみが半透明部となっており、半透明部以外は不透明となっているか又は遮光材で覆われていることを特徴とするものである。
【００１２】
請求項５のロータンク設備は、請求項４において、鉢部の底部付近のみが半透明部となっていることを特徴とするものである。
【００１３】
請求項６のロータンク設備は、請求項１ないし５のいずれか１項において、前記半透明部の裏側に配置された反射板がロータンクカバー内の貯水用インナータンクの蓋を兼用していることを特徴とするものである。
【００１４】
請求項７のロータンク設備は、請求項１ないし５のいずれか１項において、前記半透明部の裏側に配置された反射板が半透明部の裏面に沿って湾曲しており、半透明部と反射板との間に光を投射するように光源が配置されていることを特徴とするものである。
【発明の効果】
【００１５】
本発明のロータンク設備にあっては、鉢部の少なくとも一部に設けられた半透明部が、鉢部裏側からの光を拡散させて透過させるので、トイレルーム内が暗いときには、この半透明部が所謂ぼーっと光った行灯（あんどん）調に光を放つ。このように、鉢部の少なくとも一部が面状に光を放つので、鉢部を容易に認識することができる。また、そのため、手洗いをスムーズに行うことができ、その際の水跳ねも防止される。もちろん、半透明部からの光は柔らかい間接照明調の拡散透過光であり、トイレ使用者の視神経に与える刺激も小さく、眠気を醒ますこともない。
【００１６】
なお、この半透明部の鉢部を大きくすれば（例えば鉢部の全体とすれば）、鉢部の範囲を一層明確に認識することができる。また、鉢部の周囲部分についても半透明部とすれば、鉢部及びその周囲部からの光でトイレルーム内が行灯調に間接照明されることになる。
【００１７】
ただし、本発明では、鉢部の一部のみを半透明部としてもよく、例えば鉢部の底部付近のみを半透明部としてもよい。このようにすれば、トイレ使用者が無意識のうちに鉢部の中央に手を差し出すようになる。
【００１８】
本発明では、半透明部に対し光源からの光を直に当ててもよく、反射板を介して当ててもよい。反射板をインナータンクの蓋と兼用させた場合には、部材点数の削減によるコスト低減を図ることができる。
【００１９】
反射板を鉢部裏面に沿って湾曲させ、半透明部と反射板との間に光を投射するように光源を配置した場合には、鉢部の裏面の広い範囲に満遍なく光を当てることができる。
【発明を実施するための最良の形態】
【００２０】
以下、図面を参照して実施の形態について説明する。第１図は実施の形態に係るロータンク設備を備えた洋風便器の斜視図、第２図は手洗鉢の前後方向縦断面図である。
【００２１】
洋風便器１の後部上面にロータンクカバー２が設置され、このロータンクカバー２の前部に便座３と便蓋４とが上下方向回動可能に取り付けられている。このロータンクカバー２の上側に手洗鉢５が設置されている。この手洗鉢５の後縁中央から上方に手洗吐水部６が立設され、この手洗吐水部６の先端側の下面に吐水口７が設けられている。手洗鉢５の鉢部５ａは、下方に向って凹陥した凹所よりなり、その最深部（最底部）に流出口５ｂが設けられている。ロータンクカバー２内にインナータンク８が設置され、該インナータンク８に蓋９が被せられている。蓋９には、流出口５ｂから落下する水をインナータンク８の内壁面に注ぎかけるように案内するための導水部９ａが設けられている。
【００２２】
図示は省略するが、このインナータンク８内に規定水位まで注水するようにボールタップが設けられている。このボールタップの１次側はフレキホースを介して止水栓へ接続されている。
【００２３】
ボールタップの２次側に吐水口７への給水用のチューブ１０が接続されている。このチューブ１０の先端は、インナータンク８の後部から上方に立ち上がるように蓋９の後部に係止されているが、インナータンク８に係止されてもよい。
【００２４】
前記手洗吐水部６の吐水口７に給水接続管１１の先端が連結されている。この給水接続管１１の後端はチューブ１０の上端に対し、上方から着脱自在に嵌合している。
【００２５】
この実施の形態では、手洗鉢５は裏側からの光を拡散させながら透過させるように半透明の合成樹脂にて構成されている。手洗鉢５は、例えば、フィラーの少なくとも一部としてガラスパウダーを配合したアクリル等の合成樹脂にて構成される。ただし、手洗鉢５の構成材料はこれに限定されない。手洗鉢５の半透明部の光の透過率は２０〜４８％特に２５〜４０％が好適である。
【００２６】
手洗鉢５は、凹形状の鉢部５ａと、該鉢部５ａの上縁に連なる上面部５ｔと、該上面部５ｔの外縁に連なり、下方に垂下する側壁部５ｃとを有している。この手洗鉢５の側壁部５ｃの内面にはアルミ箔などよりなる反射材１２が接着などにより設けられている。なお、反射材１２を設ける代りに、金属メッキを施したりメタリック塗料を塗布することにより側壁部５ｃの内面に反射層を設けてもよい。
【００２７】
この実施の形態では、蓋９の上面にはアルミ等の箔を貼ったり、上記の如きメッキやメタリック塗装を施すことにより反射層が形成され、蓋９が反射板の機能を有したものとなっている。なお、蓋９それ自体をアルミ等で構成することにより反射板として機能させてもよい。
【００２８】
この蓋９と鉢部５ａとの間に光を投射するように光源１３が設けられている。光源１３としては発光ダイオード特に白色発光ダイオードが好適であるが、これに限定されるものではなく、蛍光管などであってもよい。この実施の形態では、光源１３は蓋９に支持されているが、手洗鉢５に支持されてもよい。
【００２９】
この光源１３は、制御回路（図示略）によって発光作動制御が行われる。この制御回路は、トイレルーム内の人を検知すると光源１３を発光作動させるよう構成されてもよく、便器洗浄用フラッシュハンドル又はスイッチが操作されたときに所定時間（例えば吐水口７から吐水が行われている間）だけ光源１３を発光作動させるものであってもよい。
【００３０】
このように構成されたロータンク設備にあっては、トイレルーム内に入室するか、又は便器洗浄用フラッシュ操作を行うと、光源１３が点灯し、光源１３からの光が鉢部５ａを拡散しながら透過する。この鉢部５ａが光拡散性半透明部となっているので、この透過光は柔らかい間接照明調の光であり、鉢部５ａがぼーっと明るくなる。これにより、手洗いしようとする人は、鉢部５ａの位置を容易に認識し、吐水口７の下方に手をスムーズに差し出すことができ、水跳ねも防止される。この透過光は柔らかいものであるから、視神経への刺激が小さく、眠気を醒ますこともない。
【００３１】
この実施の形態では、反射板機能を有する蓋９を設けていると共に、反射材１２を設けているので、光源１３からの光の多くが鉢部５ａを透過し、効率よく照明を行うことができる。
【００３２】
＜別の実施の形態＞
本発明では、第３図のように、専用の反射板１５を設けてもよい。この反射板１５は鉢部５ａの裏面に沿って湾曲しており、反射板１５と鉢部５ａとの間には略一定の隙間があいている。この隙間に光を投射されるように光源１３が設置されている。なお、反射板１５及び光源１３はインナータンクの蓋に支持されてもよく、手洗鉢５に支持されてもよい。反射板１５には、流出口５ｂから落下してくる水を下方に通すための開口１５ａが設けられている。
【００３３】
この第３図のように反射板１５を設けると、光源１３からの光を満遍なく鉢部５ａの裏側に当て、鉢部５ａからの発光照明のムラを小さくすることができる。
【００３４】
反射板１５は、金属板であってもよく、反射層を設けた樹脂板などであってもよい。
【００３５】
本発明では、鉢部５ａを半透明部とし、その他の部分は不透明材で構成したり、反射材等の遮光材で覆ってもよい。この一例に係る手洗鉢を第４図に示す。第４図の通り、鉢部５ａのうちＡで示す比較的広い範囲を半透明部としてもよく、Ｂで示すような鉢部の底部付近の狭い範囲のみを半透明部としてもよい。このＢのように鉢部の底部付近のみを半透明部とした場合には、無意識のうちに鉢部５ａの中央に手を差し出すようになり、手に吐出口７からの吐出流が当たり易くなる。
【００３６】
図示はしないが、本発明では第１，２図において側壁部５ｃの反射材１２を設けず、光源１３からの光が側壁部５ｃや手洗鉢５の上縁部からも散乱透過されるようにしてもよい。
【００３７】
このようにすれば、手洗鉢５全体がぼんやりとした行灯の如く散乱光を放つようになり、トイレルーム内を間接照明調の柔らかい光で照明することができる。
【００３８】
図示の光源１３の配置は一例であり、光源１３の個数や位置は、必要とされる照度や鉢部の形状等を勘案して適宜設定すればよい。
【図面の簡単な説明】
【００３９】
【図１】実施の形態に係るロータンク設備を備えた洋風便器の斜視図である。
【図２】ロータンク上部及び手洗鉢の縦断面図である。
【図３】別の実施の形態を示す断面図である。
【図４】さらに別の実施の形態を示す断面図である。
【符号の説明】
【００４０】
２  ロータンクカバー
５，５Ａ  手洗鉢
５ａ  鉢部
７  吐水口
８  インナータンク
９  インナータンク蓋
１２  反射材
１３  光源
１５  反射板
【図１】
2010133168.tif 000003
【図２】
2010133168.tif 000004
【図３】
2010133168.tif 000005
【図４】
2010133168.tif 000006